(57)【特許請求の範囲】
【請求項１】
前面に開口部を有する貯蔵室と、貯蔵物を収納するとともに前後にスライド自在に支持される収納ケースと、前記収納ケースの上面を前後にスライドして開閉する透明な小物ケースと、ＬＥＤの光源を有して前記収納ケース内を照明する照明装置と、を備えた冷蔵庫であって、
前記小物ケースの前部に前記照明装置の出射光を入射して左右方向に導光させる導光部を前記小物ケースの前壁の前面及び背面に設け、
前記導光部は前記小物ケースの表面に形成される溝部を有し、前記溝部を複数並設したことを特徴とする冷蔵庫。
【請求項２】
前記導光部は前記照明装置から出射された光を反射するとともに前記小物ケースの前壁の前面に凹設された反射部を有し、
前記反射部と前記収納ケースの前壁の背面に設けられる前記溝部とが対向していることを特徴とする請求項１又は２に記載の冷蔵庫。
【請求項３】
前記溝部は左右方向に延びて形成され、前記反射部はＶ字状の断面形状を有して上下に並設されることを特徴とする請求項２に記載の冷蔵庫。
【請求項４】
前記導光部を底壁に設けたことを特徴とする請求項１〜３のいずれかに記載の冷蔵庫。
【請求項５】
前記照明装置は前記貯蔵室の上壁の前部に設けられ、前記小物ケースを最後部へスライドさせた際に、前記小物ケースの前部を照射する角度に配されることを特徴とする請求項１〜４のいずれかに記載の冷蔵庫。
【発明の詳細な説明】
【技術分野】
【０００１】
本発明は、収納ケースを備えた冷蔵庫に関する。
【背景技術】
【０００２】
従来の冷蔵庫は扉により前面が開閉される複数の貯蔵室を備えている。貯蔵室の種類としては冷蔵保存する冷蔵室及び野菜室、冷凍保存する冷凍室が備えられる。そして、野菜室には前後にスライドして扉と一体的に出し入れされる収納ケースが設けられ、この収納ケース内に貯蔵物として野菜などを収納する。
【０００３】
特許文献１に記載された冷蔵庫は引き出し式の収納ケースが野菜室の内部に設けられている。野菜室の上部には複数のＬＥＤ（Light Emitting Diode）から成る光源を並設した照明装置が配される。収納ケースを引き出すと、照明装置によって収納ケース内が照明され、貯蔵物を視認できるようになっている。
【先行技術文献】
【特許文献】
【０００４】
【特許文献１】特開２００２−２６７３４８号公報
【発明の概要】
【発明が解決しようとする課題】
【０００５】
しかし、照明装置に備えられるＬＥＤからなる光源は照射範囲が狭い。このため、特許文献１の冷蔵庫によると、複数のＬＥＤを並設して広範囲の照明を行うため、冷蔵庫のコストが大きくなるという問題があった。
【０００６】
本発明は、コストを削減して広範囲の照明を行うことができる冷蔵庫を提供することを目的とする。
【課題を解決するための手段】
【０００７】
上記目的を達成するために本発明は、前面に開口部を有する貯蔵室と、貯蔵物を収納するとともに前後にスライド自在に支持される収納ケースと、前記収納ケースの上面を前後にスライドして開閉する透明な小物ケースと、ＬＥＤの光源を有して前記収納ケース内を照明する照明装置と、を備えた冷蔵庫であって、前記小物ケースの前部に前記照明装置の出射光を入射して左右方向に導光させる導光部を設けたことを特徴とする。
【０００８】
この構成によると、貯蔵物を収納した収納ケースは前後にスライド移動し、小物ケースは収納ケースの上面を前後にスライドして開閉する。照明装置からの出射光は導光部に入射して左右方向に導光し、導光部の表面に臨界角よりも小さい入射角で入射した光が導光部から出射されて収納ケース内を照明する。
【０００９】
また本発明は、前記導光部は前記照明装置から出射された光を反射して左右方向に導く反射部を有することを特徴とする。この構成によると、照明装置からの出射光は反射部に入射し、反射部の表面の臨界角よりも大きい入射角で入射した光は反射して左右方向へ導光される。
【００１０】
また本発明は、前記導光部は前記小物ケースの表面に左右に延びて形成される溝部を有し、前記溝部を複数並設したことを特徴とする。また本発明は、前記導光部は前記収納ケースの前壁又は底壁に設けたことを特徴とする。
【００１１】
また本発明は、前記照明装置は前記貯蔵室の上壁の前部に設けられ、前記小物ケースを最後部へスライドさせた際に、前記小物ケースの前部を照射する角度に配されることを特徴とする。
【発明の効果】
【００１２】
本発明によると、コストを削減して広範囲の照明を行うことができる冷蔵庫を提供することができる。
【図面の簡単な説明】
【００１３】
【図１】本発明の実施形態の冷蔵庫を示す側面断面図
【図２】本発明の実施形態の野菜室を示す側面断面図
【図３】本発明の実施形態の小物ケースを示す斜視図
【図４】本発明の実施形態の小物ケース前面の側面断面図
【図５】本発明の実施形態の小物ケース前面の平面断面図
【発明を実施するための形態】
【００１４】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１５】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって冷蔵収納ケース８が扉４ｂとともに前後に円滑に出し入れされる。
【００１６】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。
【００１７】
図２は野菜室５を示す側面断面図である。収納ケース１０は上面を開口した樹脂成形品から成り、断熱材を充填した扉５ｂ（図１参照）の背面に取り付けられる。収納ケース１０の上面には果物等の小物の貯蔵物を収納する小物ケース１１が載置される。小物ケース１１は上面を開口したポリスチレン樹脂などの樹脂成形品から成り、収納ケース１０の上面をスライド自在に配される。
【００１８】
野菜室５の上壁の前部５ｃには収納ケース１０内を照明する照明装置３０が左右方向の中央部に設けられる。照明装置３０は基盤３０Ｂ上に実装したＬＥＤ光源３０Ａ（図５参照）が設けられ、出射光Ｓ１を出射する。照明装置３０は小物ケース１１を最後部へスライドさせた際に、小物ケース１１の前部１１ｂを照射する角度αに配される。
【００１９】
図３は小物ケース１１の斜視図を示している。小物ケース１１の前部１１ｂを構成する前壁１１ｃには出射光Ｓ１を入射して左右方向に導光させる導光部１１ａが設けられる。導光部１１ａには左右方向に伸びる複数の溝部１１ｅ（図４参照）が形成される。また、導光部１１ａは小物ケース１１の底壁１１ｄに設けてもよい。
【００２０】
図４、図５は小物ケース１１の前部１１ｂの側面断面図及び上面断面図を示している。溝部１１ｅは小物ケース１１の前壁１１ｃの背面１１ｇに設けられ、Ｖ字状の断面形状を有して上下方向に複数並設される。前壁１１ｃの前面１１ｈには上下方向に延びる反射部１１ｆが形成される。反射部１１ｆはＶ字状の断面形状を有して壁面が照明装置３０の出射光Ｓ１に対して傾斜する。
【００２１】
上記構成の冷蔵庫１において、ユーザが収納ケース１０を引き出すと、照明装置３０によって小物ケース１１の内部が照明される。また、小物ケース１１を後方にスライドさせると、照明装置３０の出射光Ｓ１が小物ケース１１の前部１１ｂに照射される。出射光Ｓ１は小物ケース１１の内面側から前壁１１ｃの導光部１１ａに入射し、反射部１１ｆで左右方向に反射する。そして、矢印Ｓ２に示すように前壁１１ｃの前面１１ｈと背面１１ｇとの間を反射しながら導光する。
【００２２】
前壁１１ｃの表面に臨界角よりも小さい入射角で入射した導光は前壁１１ｃから出射される。これにより、導光部１１ａを左右方向に導光して前方に出射される光によって左右方向の広い範囲で収納ケース１０内が照明される。
【００２３】
この時、導光部１１ａには溝部１１ｅが設けられるため、導光は溝部１１ｅの表面での反射によって背面１１ｇを平面に形成した場合に比して進行方向が多様な方向に分散される。これにより、前壁１１ｃの表面に到達する光の入射角が臨界角よりも小さくなり易いため、小物ケース１１の左右端まで導光される光が減少して前方に出射される光が多くなる。従って、より確実に収納ケース１０内に照明光を照射することができる。
【００２４】
尚、サンドブラストやシボ加工等によって溝部１１ｅの表面に梨地模様等の非光沢面処理を施すとより望ましい。これにより、溝部１１ｅの反射光をより分散させることができる。また、溝部１１ｅを前壁１１ｃの前面１１ｈに形成してもよく、前面１１ｈ及び背面１１ｇに形成してもよい。加えて、溝部１１ｅの断面形状をコ字型等の他の形状にしてもよい。
【００２５】
また、反射部１１ｆを前壁１１ｃの背面１１ｇに形成してもよい。更に、小物ケース１１の内面側に反射部１１ｆを避けて金属製の反射膜や反射シート等を設けてもよい。これにより、導光部１１ａから後方に出射された光を前方に反射し、収納ケース１０の照明光量を増加させることができる。
【００２６】
本実施形態によると、小物ケース１１の前部１１ｂに照明装置３０の出射光Ｓ１を入射して左右方向に導光させる導光部１１ａを設けた。これによりＬＥＤ光源３０Ａを少なくし、広範囲の照明を行うことができる。
【００２７】
また、導光部１１ａは出射光Ｓ１を反射する反射部１１ｆを有するため、左右方向に光を導くことができる。
【００２８】
また、導光部１１ａは溝部１１ｅを複数並設されるため、収納ケース１０へと出射される光を増加させて確実に収納ケース１０を照明することができる。
【００２９】
また、導光部１１ａは小物ケース１１の前壁１１ｃ又は底壁１１ｄに設けられるため、収納ケース１０を確実に照明することができる。
【００３０】
また、照明装置３０は貯蔵室５の上壁の前部５ｃに設けられ、小物ケース１１を最後部へスライドさせた際に、小物ケース１１の前部１１ｂを照射する角度に配されるため、収納ケース１０内を良好に照明できる。
【産業上の利用可能性】
【００３１】
本発明によると、スライド移動する収納ケースを備えた冷蔵庫に利用することができる。
【符号の説明】
【００３２】
１    冷蔵庫
３    冷蔵室
４    冷凍室
５    野菜室（貯蔵室）
１０  収納ケース
１１  野菜ケース
１１ａ  導光部
１１ｂ  前部
１１ｃ  前壁
１１ｄ  底壁
１１ｅ  溝部
１１ｆ  反射部
１１ｇ  背面
１１ｈ  前面
【図１】
0005778520.tif 000002
【図２】
0005778520.tif 000003
【図３】
0005778520.tif 000004
【図４】
0005778520.tif 000005
【図５】
0005778520.tif 000006